(57)【要約】【課題】図面情報の転記ミス等の排除による図面品質の向上、ならびに設計効率の更なる向上による人件費の削減および管理費用の低減を可能にすると共に、ユニットの細部を設計する際にその詳細設計に影響を及ぼす他のユニットを考慮した図面管理を行うことを可能とする図面管理装置を提供する。【解決手段】図面管理装置１の図面作成部２は、複数のユニットで構成される組立図形の組立図面を作成し、図面切取部３が組立図面から任意の切り取り範囲を切り取ってブロック図面を作成する。図面番号発行部４が、組立図面およびその組立図面をもとに作成されたブロック図面に、共通の識別番号を含む図面番号を発行する。検索部６が組立図面およびブロック図面の各図面名を検索キーに用いて図面管理データベース７を曖昧検索してそれぞれの図面情報を取得する。図面登録部５が図面情報と共に組立図面およびブロック図面を図面管理データベース７に登録する。【選択図】図１
2009294770.tif 000002
【特許請求の範囲】
【請求項１】
複数のユニットを組み立てた状態を示す組立図面のデータであって、前記複数のユニットの識別情報を有する組立図面データに対して、前記組立図面の任意の範囲を指定する範囲指定情報が与えられた場合、当該範囲指定情報に基づいて、前記組立図面から前記指定された範囲を切り取ると共に、当該切り取った範囲に含まれるユニットの識別情報を付与したブロック図面データを作成する図面切取部と、
前記複数のユニット毎に、ユニットを構成する部品に関する部品情報を、それぞれのユニットの識別情報と関連付けて格納する図面管理データベースと、
前記図面切取部で作成されたブロック図面データに含まれるユニットの識別情報に基づいて、前記図面管理データベースから前記ブロック図面データに含まれるユニットの部品情報を検索する検索部と、
前記ブロック図面データに、前記検索部で検索された部品情報を関連付けて前記図面管理データベースに登録する図面登録部とを備えた図面管理装置。
【請求項２】
組立図面データおよびブロック図面データに、共通の識別記号を含む図面番号を設定する図面番号発行部を備え、
前記組立図面データおよび前記ブロック図面データは、前記図面番号のデータと共に図面管理データベースに格納されることを特徴とする請求項１記載の図面管理装置。
【請求項３】
組立図面データは、トップダウン設計の初期段階の図面データであることを特徴とする請求項１または請求項２記載の図面管理装置。
【発明の詳細な説明】
【技術分野】
【０００１】
この発明は、図面および図面に関する情報をデータベース管理する図面管理装置に関するものである。
【背景技術】
【０００２】
一般に、製品設計はトップダウン設計を基本とし、組立図をもとにして部品毎の部品図へ展開していく。トップダウン設計では、組立図の作図後に部品図を作図し、ひとつの製品に必要な情報を揃えている。その情報を用いて、生産部門が製品製造に必要な工程を踏んでいる。
【０００３】
３次元ＣＡＤ（Ｃｏｍｐｕｔｅｒ  Ａｉｄｅｄ  Ｄｅｓｉｇｎ）により作図された組立図を部品図に展開する場合、組立図からソリッドサーフェスを作成して新規画面にコピーする。そして、ソリッドサーフェス上で不必要な部分をカットし、取り出したい部品の部品図を作成していた。２次元ＣＡＤにおいては、組立図から部品図を作成することはできず、部品図を新たに作図する必要があった。
【０００４】
このように作図された図面は、図面管理システムにおいて、サーバで自動採番された識別番号が登録され、図面に関する情報と共にデータベース管理されていた（例えば、特許文献１参照）。
【０００５】
【特許文献１】特開平５−１５１３３８号公報
【発明の開示】
【発明が解決しようとする課題】
【０００６】
従来の図面管理装置は以上のように構成されているので、作図した部品図を自動管理することは可能であるが、組立図から部品図への展開は自動化されていなかった。そのため、２次元ＣＡＤにおいては、新規に部品図を作図しなければならず、手間がかかるという課題があった。また、３次元ＣＡＤにより作図された組立図であれば部品図へ展開することが可能であり、単純な形状であれば問題ないが、複雑な形状になると手数が増え、手間がかかるというという課題があった。
さらに、組立図から部品毎の部品図を展開していたため、部品同士の配置位置関係等の情報を部品図に含めて管理することができなかった。そのため、詳細設計する前の概要のみが設計された部品毎の部品図は、詳細設計に必要となる他の部品との関連性が考慮されていないという課題があった。
【０００７】
この発明は、上記のような課題を解決するためになされたもので、組立図面の任意の範囲を切り取ってブロック図面を自動で作成することにより、図面情報の転記ミス等の排除による図面品質の向上、ならびに設計効率の更なる向上による人件費の削減および管理費用の低減を可能にすると共に、ユニットの細部を設計する際にその詳細設計に影響を及ぼす他のユニットを考慮した図面管理を行うことを可能とする図面管理装置を提供することを目的とする。
【課題を解決するための手段】
【０００８】
この発明に係る図面管理装置は、複数のユニットを組み立てた状態を示す組立図面のデータであって、複数のユニットの識別情報を有する組立図面データに対して、組立図面の任意の範囲を指定する範囲指定情報が与えられた場合、範囲指定情報に基づいて、組立図面から指定された範囲を切り取ると共に、切り取った範囲に含まれるユニットの識別情報を付与したブロック図面データを作成する図面切取部と、複数のユニット毎に、ユニットを構成する部品に関する部品情報を、それぞれのユニットの識別情報と関連付けて格納する図面管理データベースと、図面切取部で作成されたブロック図面データに含まれるユニットの識別情報に基づいて、図面管理データベースからブロック図面データに含まれるユニットの部品情報を検索する検索部と、ブロック図面データに、検索部で検索された部品情報を関連付けて図面管理データベースに登録する図面登録部とを備えるようにしたものである。
【発明の効果】
【０００９】
この発明によれば、複数のユニットを組み立てた状態を示す組立図面のデータであって、複数のユニットの識別情報を有する組立図面データに対して、組立図面の任意の範囲を指定する範囲指定情報が与えられた場合、範囲指定情報に基づいて組立図面の所定の範囲を切り取ると共に、切り取った範囲に含まれるユニットの識別情報を付与したブロック図面データを作成して、図面管理データベースに登録するようにしたので、図面情報の転記ミス等の排除による図面品質の向上、ならびに設計効率の更なる向上による人件費の削減および管理費用の低減を可能にすると共に、ユニットの細部を設計する際にその詳細設計に影響を及ぼす他のユニットを考慮した図面管理を行うことが可能となる。
【発明を実施するための最良の形態】
【００１０】
実施の形態１．
図１は、この発明の実施の形態１に係る図面管理装置の構成を示すブロック図である。図１に示す図面管理装置１は、複数のユニットを組み立てた２次元または３次元の組立図形の組立図面を作成する図面作成部２、組立図面から任意の切り取り範囲を切り取ってブロック図面を作成する図面切取部３、組立図面およびその組立図面を切り取ったブロック図面に共通の識別番号を含む図面番号を発行する図面番号発行部４、組立図面およびブロック図面にそれぞれの図面番号、図面名および図面情報を関連付けて図面管理データベース７に登録する図面登録部５、組立図面およびブロック図面に関連付けるための図面情報を図面管理データベース７から検索する検索部６、組立図面およびブロック図面を格納する図面管理データベース７、ユーザの入力を受け付けると共に、図面管理装置１の各部からの出力をユーザに提示する入出力装置８を備える。
【００１１】
図面管理装置１の図面作成部２は、複数のユニットを組み立てた状態の組立図形を表わした２次元または３次元の組立図面を作成する。組立図面はトップダウン設計の初期段階の図面とする。この場合、組立図面のユニットは、初期段階では細部の外形形状や部品まで設計されず、後の細部設計の段階で、ユニットの外形形状および内部形状、ならびにユニットを構成する外部部品および内部部品が詳細設計される。
【００１２】
また、図面作成部２は作成した組立図面にユーザが入出力装置８を介して入力する任意の図面名および図面情報（日付、倍率、ページ番号、機種番号、作図者名、検認者名、ユニット名等）を付与する。図面情報にユーザの入力する情報を用いず、検索部６がこの図面名を検索キーに用いて図面管理データベース７を曖昧検索して取得した図面情報を用いてもよい。なお、図面情報に含まれるユニット名（ユニットの識別情報）は組立図面中の対応するユニットに関連付けられている。
【００１３】
図面切取部３は、組立図面において、ユーザが入出力装置８を介して設定した、矩形等の切り取り範囲（範囲指定情報）を切り取ってブロック図面を作成する。図面切取部３は、切り取り範囲に全形が含まれるユニットを抽出する。また、切り取り範囲の境界線をまたいで存在するユニットについては、図面切取部３は境界線通りにユニットの一部を切り取ってもよいし、ユニットを形状変更なしにそのまま抽出してもよいし、あるいは抽出しなくてもよい。境界線上に存在するユニットの扱いについては、上記のような切り取りルールを図面切取部３に予め設定するか、切り取りの都度ユーザが選択する。
また、図面切取部３は作成したブロック図面に、そのブロック図面に含まれるユニット名を含めた図面名を付与する。図面切取部３は、ブロック図面に含まれるユニットのユニット名として、組立図面の図面情報に含まれるユニット名を引き継いで設定する。
【００１４】
図面番号発行部４は、組立図面およびその組立図面から作成されたブロック図面が関連付いた形態の図面番号を、採番ルールに従って自動発行する。図面番号発行部４が従う採番ルールとしては、例えば、組立図形の図形種類を示す記号（Ａ、Ｂ、Ｃ等）と案件番号（００１、００２、００３等）とを組み合わせた図面番号（Ａ００１、Ａ００２、Ａ００３等）を組立図面に発行する。そして、その組立図面から切り取って作成したブロック図面には、組立図形の図面番号に続けて、ブロック図面毎に異なるサブ図面番号（Ａ１〜Ａｎ等）を連番で発行する。従って、ブロック図面の図面番号は、組立図面と共通する図面番号にサブ図面番号を加えたもの（Ａ００１Ａ１、Ａ００１Ａ２、Ａ００１Ａ３等）となる。
なお、図面番号発行部４が発行した図面番号は、組立図面およびブロック図面の図面名に付与されると共に、図面情報にも付与されることとする。
【００１５】
図面登録部５は、組立図面およびブロック図面をそれぞれの図面名、図面番号および図面情報と関連付けて図面管理データベース７へ登録する。ブロック図面の図面情報は、もととなった組立図面の図面情報に、検索部６がブロック図面の図面名を検索キーに用いて図面管理データベース７を曖昧検索して取得した図面情報を加えた情報とする。ブロック図面に特有の図面情報として、ブロック図面に含まれるユニットを構成する部品に関する部品情報等がある。
なお、図面登録部５は、検索部６が図面管理データベース７から取得した図面情報にかえて、ユーザが入出力装置８から入力した任意の図面情報を用いてもよい。
【００１６】
検索部６は、図面作成部２および図面登録部５から検索キーとして入力された図面名を用いて、図面管理データベース７に格納された図面情報を検索し、検索キーの少なくとも一部を含む図面情報を取得する。なお、検索キーに用いる単語は、図面名に含まれる全ての単語でも、図面名に含まれる単語からユーザが入出力装置８から任意に選択した一部の単語でもよい。
【００１７】
図面管理データベース７は、組立図面とその図面情報およびブロック図面とその図面情報をマスタ化して格納する。組立図面の図面情報には、日付、倍率、ページ番号、機種番号、作図者名、検認者名、図面名、図面番号、ユニット名等が含まれる。また、ブロック図面の図面情報には、もととなった組立図面から引き継いだ日付、倍率、機種番号、作図者名、検認者名、図面番号等の共通の情報に加えて、ブロック図面に含まれるユニットを構成する各部品の部品名、規格情報およびコスト等の部品情報、図面名、サブ図面番号等が含まれる。
【００１８】
次に、図面管理装置１の動作を説明する。図２は、この発明の実施の形態１に係る図面管理装置の動作を示すフローチャートである。
ステップＳＴ１において、図面作成部２が組立図面を作成する。図３（ａ）に、この発明の実施の形態１に係る図面管理装置の図面作成部が作成した組立図面の一例を示す。図３（ａ）に示す組立図面１０は卓上スタンドの組立図形であり、卓上スタンドはセード１３、連結部１４、アーム１５、連結部１６、本体１７およびベース１８の各ユニットを組み立ててなる。この組立図面は、細部まで設計されていない図面であり、各ユニットは直方体等の大まかな外形形状のみが設計されている。また、組立図面１０の卓上スタンドは、ＸＹＺ軸上の３次元座標値で規定されるものとする。
【００１９】
ステップＳＴ２において、図面作成部２は組立図面に任意の図面名を付与する。例えば、図３（ａ）の組立図面１０の図面名を「卓上スタンド（機種名）  設計  組立図面」とする。
続くステップＳＴ３において、図面作成部２は組立図面に図面情報を登録する。
【００２０】
ここで、ステップＳＴ３の図面情報登録処理について説明する。図４は、この発明の実施の形態１に係る図面管理装置の図面情報登録処理を示すフローチャートである。ステップＳＴ１１において、検索部６が組立図の図面名を検索キーに用いて、図面管理データベース７を曖昧検索し、図面管理データベース７が格納する図面情報から検索キーの少なくとも一部を含む図面情報を取得する。そして、検索部６は取得した図面情報の一覧を図面作成部２へ出力する。続くステップＳＴ１２において、図面作成部２は検索結果である図面情報の一覧から、ユーザが指定する図面情報を選択し、ステップＳＴ１３にて組立図面に選択した図面情報を登録する。
一方、ステップＳＴ１１の曖昧検索で該当する図面情報が図面管理データベース７に存在しない場合（ステップＳＴ１１“Ｎｏ”）、またはステップＳＴ１２で検索結果の図面情報一覧にユーザが所望する図面情報が含まれていない場合（ステップＳＴ１２“Ｎｏ”）、図面作成部２はユーザの入力を受け付けて図面情報を新たに作成して組立図面に登録する（ステップＳＴ１４）。
【００２１】
図面作成部２はまた、入出力装置８から入力されるユーザの指示に従って、図面情報に含まれるユニット名を組立図面中の該当するユニットに関連付けておく。図面情報登録処理が終了すると、図面管理装置１は処理を図２のフローチャートに戻す。ステップＳＴ４において、図面切取部３が組立図面の任意の切り取り範囲を切り取ってブロック図面を作成し、図面名を付与する。
【００２２】
ここで、ステップＳＴ４の図面切り取り処理について説明する。図５は、この発明の実施の形態１に係る図面管理装置の図面切り取り処理を示すフローチャートである。ステップＳＴ２１において、図面切取部３が切り取り範囲の指定を直線で行うか、または曲線で行うかを、ユーザが選択する。図面切取部３は、ユーザから直線選択の入力を受け付けると（ステップＳＴ２１“直線”）、続けてステップＳＴ２２およびステップＳＴ２３において切り取り範囲の始点および終点の指定を受け付けて、直線の境界線で囲った切り取り範囲を組立図面に設定する。
例えば、図３（ａ）の組立図面１０において、図面切取部３はユーザの指示に従って座標値１１ａ，１１ｂ，１１ｃ，１１ｄで囲まれた矩形の切り取り範囲を設定する。
【００２３】
他方、図面切取部３は、ユーザから曲線選択の入力を受け付けると（ステップＳＴ２１“曲線”）、切り取り範囲の始点および終点の指定に加えて、曲線の指定を受け付けて、任意の切り取り範囲を組み立て図面に設定する（ステップＳＴ２４〜ステップＳＴ２６）。
【００２４】
続くステップＳＴ２７にて、図面切取部３が切り取り範囲に従ってユニットを切り取る。境界線上にユニットが存在する場合には、図面切取部３は境界線と交差するＸＹ軸座標で規定できる直線をＺ軸方向に平行移動した形状に切り取り、新規図面にコピーする（ステップＳＴ２８）。
例えば、座標値１１ａ，１１ｂ，１１ｃ，１１ｄの切り取り範囲にはセード１３および連結部１４の各ユニットが含まれ、境界線上にアーム１５が存在している。図面切取部３はアーム１５を、境界線と交差する座標値１１ｅ，１１ｆで規定される直線をＺ軸方向に平行移動した形状に切り取る。このようにして作成されたブロック図面を図３（ｂ）に示す。
【００２５】
次いで、ステップＳＴ２９において、図面切取部３が作成したブロック図面に、ブロック図面中のユニットに対応するユニット名を含めた図面名を付与する。例えば、図３（ｂ）のブロック図面１１の図面名を「卓上スタンド（機種名）  設計  ブロック図面  セード  連結部」とする。境界線上に存在し、一部の形状を切り取ったユニット名（ここではアーム）については、図面名に含めても、含めなくてもよく、例えば入出力装置８を介してユーザが指定すればよい。
【００２６】
図面切取部３は、図面切り取り処理をユーザの指示に従って必要回数繰り返して行い、ブロック図面を作成する。
図３（ｂ）のブロック図面１１作成後、ユーザが座標値１２ａ，１２ｂ，１２ｃ，１２ｄを指定すると、図面切取部３は上記同様に、座標値１２ａ，１２ｂ，１２ｃ，１２ｄで囲まれた矩形の切り取り範囲を設定して、組立図面１０を切り取る。
座標値１２ａ，１２ｂ，１２ｃ，１２ｄの切り取り範囲には連結部１４，１６およびアーム１５が含まれ、境界線上にセード１３および連結部１６が存在している。図面切取部３は、セード１３を境界線と交差する座標値１２ｅ，１２ｆで規定される直線をＺ軸方向に平行移動した形状に切り取り、本体１７を境界線と交差する１２ｇ，１２ｃで規定される直線をＺ軸方向に平行移動した形状に切り取る。このようにして作成されたブロック図面を図３（ｃ）に示す。そして、図面切取部３は、図３（ｃ）のブロック図面１２の図面名を「卓上スタンド（機種名）  設計  ブロック図面  セード  連結部  アーム  本体」とする。
【００２７】
図面切り取り処理が終了すると、図面管理装置１は処理を図２のフローチャートに戻す。ステップＳＴ５において、図面番号発行部４が組立図面およびその組立図面から切り取ったブロック図面に対して、共通の識別番号を有する図面番号を発行する。例えば、図形の種類が卓上スタンドであることを表す記号「Ａ」と、卓上スタンドの案件番号「００１」とからなる図面番号「Ａ００１」を共通の識別番号に用いて、図面番号発行部４が組立図面１０およびブロック図面１１，１２に付与する。さらに、図面番号発行部４はブロック図面管理のために、ブロック図面１１の図面番号として、サブ図面番号「Ａ１」を付加した「Ａ００１Ａ１」を発行し、ブロック図面１２の図面番号として、サブ図面番号「Ａ２」を付加した「Ａ００１Ａ２」を発行する。図面番号は図面情報に付与されると共に、図面名にも付与されるため、例えば組立図面１０の図面名は「卓上スタンド（機種名）  設計  組立図面  Ａ００１」となり、ブロック図面１１の図面名は「卓上スタンド（機種名）  設計  ブロック図面  セード  連結部  Ａ００１Ａ１」となる。
【００２８】
ステップＳＴ６において、図面登録部５はブロック図面に図面情報を登録する。ブロック図面への図面情報登録処理は、図４に示すステップＳＴ１１〜ステップＳＴ１４の図面情報登録処理と同様である。検索部６は、ブロック図面の図面名を検索キーに用いて、図面管理データベース７を曖昧検索し、図面管理データベース７が格納する図面情報から検索キーの少なくとも一部を含む図面情報を取得する。図面登録部５は、検索結果である図面情報の一覧から、ユーザが指定する図面情報を選択し、ブロック図と関連付けて図面管理データベース７へ登録する。
例えば、ブロック図面１１に関連付ける図面情報を検索する場合、検索部６は図面名「卓上スタンド（機種名）  設計  ブロック図面  セード  連結部  Ａ００１Ａ１」からユーザが指定する単語を検索キーに用いて、図面管理データベース７を曖昧検索する。検索部６は、セードおよび連結部等のユニット名を検索キーに用いて検索した場合、過去に設計されたセードおよび連結部等の各ユニットに関連付けられた部品情報等の一覧を図面管理データベース７から図面情報として取得する。
【００２９】
以上のように、図面管理装置１はユーザが所望する切り取り範囲で組立図面を切り取ってブロック図面を作成し、図面情報と共に図面管理を行うことができる。
例えば、図３（ａ）に示すセード１３の詳細設計時、セード１３にセード、反射板、ソケット、ばね、蛍光管等の部品が設計されるが、各部品の配置および形状等は、連結部１４のセード１３に対する設置位置等を考慮する必要がある。図面管理装置１では、ブロック図面を作成する際に、セード１３だけでなく、セード１３の詳細設計時に考慮する必要のある連結部１４等の他のユニットを含めたユーザが所望するブロック図面を作成し、各ユニットを構成する部品情報を含めた図面情報と共に管理することができる。
【００３０】
なお、図面作成部２が２次元ＣＡＤによる組立図面を作成した場合でも、図面切取部３は３次元ＣＡＤによる組立図面と同様に、切り取り範囲に従って組立図面を切り取り、ブロック図面を作成する。図６は、この発明の実施の形態１に係る図面管理装置が作成した２次元の組立図面およびブロック図面の例である。図６（ａ）に示す組立図面２０はセード２３、連結部２４、アーム２５、連結部２６、本体２７、ベース２８の各ユニットから構成される卓上スタンドであり、各ユニットは長方形等の大まかな外形形状のみが設計されている。この組立図面２０の卓上スタンドはＸＹ軸上の２次元座標値で規定されているものとする。
【００３１】
図６（ａ）の組立図面２０に対して座標値２１ａ，２１ｂ，２１ｃ，２１ｄの切り取り範囲が設定された場合、図面切取部３は切り取り範囲に含まれるセード２３および連結部２４を抽出する。また、図面切取部３は、境界線上に存在するアーム２５を、境界線とアーム２５が交差する座標値２１ｅ，２１ｃで切り取る。このようにして作成されたブロック図面２１を図６（ｂ）に示す。
また、組立図面２０に対して座標値２２ａ，２２ｂ，２２ｃ，２２ｄの切り取り範囲が設定された場合、図面切取部３は切り取り範囲に含まれる連結部２４、アーム２５、連結部２６を抽出し、境界線上に存在するセード２３を境界線と交差する座標値２２ａ，２２ｅで切り取り、境界線上に存在する本体２７を境界線と交差する座標値２２ｆ，２２ｃで切り取る。このようにして作成されたブロック図面２２を図６（ｃ）に示す。
【００３２】
２次元ＣＡＤによる組立図面では、奥側に位置するユニットは手前側に位置するユニットに隠れ、表示されない場合がある。そこで、手前側のユニットを実線で作図し、奥側のユニットを点線等の隠れ線で作図する等の設計ルールを図面作成部２に設定しておき、組立図面を作成する際に図面作成部２が設計ルールに従って組立図面を作成する構成であってもよい。この構成の場合には、図面切取部３に、切り取り範囲内の実線のユニットのみを切り取る、または破線のユニットを含めて切り取る等の切り取りルールを設定すればよい。
その他、ユーザが切り取り範囲を指定しやすいように、ユニット同士の隙間を所定の距離だけ離した組立図面を作図する等の設定ルールを図面作成部２に設定してもよい。このような設計ルールを図面作成部２に設定しておくことにより、組立図面からブロック図面への展開を容易にすることができる。
【００３３】
以上のように、実施の形態１によれば、図面管理装置１の図面作成部２は、複数のユニットを組み合わせた組立図形の組立図面を作成し、図面切取部３は任意の境界線で囲まれた範囲を切り取ってブロック図面を作成すると共に、ブロック図面に含まれるユニット名を含めた図面名を設定し、図面番号発行部４が組立図面とブロック図面に共通する識別番号を含む図面番号を発行し、検索部６がブロック図面の図面名を用いて、図面管理データベース７からブロック図面に含まれるユニットに関する図面情報を取得し、図面登録部５が組立図面とその図面情報、およびブロック図面とその図面情報をそれぞれ関連付けて図面管理データベース７に登録するように構成した。そのため、組立図面からブロック図面への展開を簡易にし、ブロック図面を自動作成および自動管理することにより、図面作成および図面管理の自動化をさらに向上させることができる。従って、設計効率の更なる向上による人件費の削減および図面管理費用の低減化、ならびに図面番号および図面情報の転記ミス等の排除による図面品質の向上が可能となる。また、ブロック図面に含まれる複数の部品の情報を、ブロック図面と関連付けて一元化して管理することが可能となる。また、ユニットの細部を設計する際に、その詳細設計に影響を及ぼす他のユニットを考慮した図面管理を行うことが可能となる。
【００３４】
また、実施の形態１によれば、図面番号発行部４が組立図面とブロック図面に共通する識別番号を含む図面番号を発行し、図面管理データベース７は、図面番号を用いて組立図面およびブロック図面を関連付けて格納するように構成した。そのため、大まかに設計された組立図形の組立図面からもブロック図面を展開できるため、大まかな組立図面から設計工数量を測ることが可能となる。従って、大まかに設計された組立図形の組立図面からブロック図面を展開して図面情報と共に図面管理することにより、これから詳細設計するために必要なユニット数および部品数を大まかに計算することが可能となる。また、ブロック図面に関連付けられた図面情報を参照することにより、設計にかかる時間およびコストを想定することも可能となる。
【００３５】
なお、上記実施の形態１では、図面切取部３は図面作成部２が作成した組立図面を用いる構成であったが、図面管理装置１から図面作成部２を除いた構成にして図面切取部３は外部から入力された組立図面を用いる構成であってもよい。
また、組立図面はトップダウン設計の初期段階の図面を用いる構成であったが、これに限定されるものではなく、細部が設計された組立図面を用いる構成であってもよい。
【００３６】
また、上記実施の形態１では、図２のステップＳＴ５において図面番号発行部４が図面番号を採番ルールに従って発行する構成であったが、例えば採番ルールに該当しないような図面の場合には一時的な仮図面番号を発行して、図面管理する構成であってもよい。図面番号発行部４は、図面登録部５がブロック図面に関連付ける図面情報を検索部６に検索させた際に、検索結果の図面情報に含まれる図面番号を参考にして正式な図面番号を発行すればよい。
【図面の簡単な説明】
【００３７】
【図１】この発明の実施の形態１に係る図面管理装置の構成を示すブロック図である。
【図２】この発明の実施の形態１に係る図面管理装置の動作を示すフローチャートである。
【図３】この発明の実施の形態１に係る図面管理装置が作成した組立図面およびブロック図面の例である
【図４】この発明の実施の形態１に係る図面管理装置の図面情報登録処理を示すフローチャートである。
【図５】この発明の実施の形態１に係る図面管理装置の図面切り取り処理を示すフローチャートである。
【図６】この発明の実施の形態１に係る図面管理装置が作成した２次元の組立図面およびブロック図面の例である。
【符号の説明】
【００３８】
１  図面管理装置、２  図面作成部、３  図面切取部、４  図面番号発行部、５  図面登録部、６  検索部、７  図面管理データベース、８  入出力装置、１０，２０  組立図面、１１，１２，２１，２２  ブロック図面、１３，２３  セード、１４，１６，２４，２６  連結部、１５，２５  アーム、１７，２７  本体、１８，２８  ベース。
【図１】
2009294770.tif 000003
【図２】
2009294770.tif 000004
【図３】
2009294770.tif 000005
【図４】
2009294770.tif 000006
【図５】
2009294770.tif 000007
【図６】
2009294770.tif 000008